(57)【要約】【課題】安価に製造できる照明装置を提供することを課題とする。【解決手段】実施形態に係る照明装置は、光源部を保持した保持部材と、保持部材の端部を覆う端部材と、端部材の舌片部を保持部材の天板部に固定する固定手段と、を有する。保持部材は、一対の側板部、およびこれら一対の側板部を一体につなぐ天板部を有し、押し出し成形により製造される。舌片部は、端部材の端板部から一体に延びて一対の側板部の間で天板部に重なる。【選択図】図３
2014026789.tif 000002
【特許請求の範囲】
【請求項１】
光源部と；
一対の側板部、およびこれら一対の側板部を一体につなぐとともに上記光源部を保持した天板部を有し、押し出し成形された保持部材と；
この保持部材の長手方向の端部を覆う端板部、およびこの端板部から一体に延びて上記一対の側板部間で上記天板部に重なる舌片部を有する端部材と；
上記舌片部と上記天板部を固定する固定手段と；
を有する照明装置。
【請求項２】
上記端部材は、射出成形により形成されている、
請求項１の照明装置。
【請求項３】
上記舌片部は、上記天板部の溝に入る立壁部と該溝の開口端に沿って延びた平板部とを一体に有し、上記固定手段は、上記平板部を上記溝に締結固定する第１ネジを有する、
請求項２の照明装置。
【請求項４】
上記第１ネジを通す上記平板部のネジ孔は、金型を抜く方向に切欠きを有する、
請求項３の照明装置。
【請求項５】
上記一対の側板部の間に嵌合して該保持部材を取り付けるシャーシと；
上記端部材を介して上記保持部材を上記シャーシに固定する第２ネジと；を有し、
上記端部材は、上記第２ネジの頭部を受け入れる孔を有する、
請求項３の照明装置。
【発明の詳細な説明】
【技術分野】
【０００１】
本発明の実施形態は、例えば、天井に直付けする細長い照明装置に関する。
【背景技術】
【０００２】
近年、ＬＥＤ（発光ダイオード）を光源とした照明装置として、天井直付けタイプの細長いベースライトが普及されつつある。
【先行技術文献】
【特許文献】
【０００３】
【特許文献１】特開２０１２−５９４５９号公報
【発明の概要】
【発明が解決しようとする課題】
【０００４】
細長いベースライトの場合、本体を金属材料の押し出し成形により安く製造できるが、その両端を塞ぐ部分を折り曲げ加工する必要があり、その分、製造コストが高くなる。
【０００５】
よって、安価に製造できる照明装置の開発が望まれている。
【課題を解決するための手段】
【０００６】
実施形態に係る照明装置は、光源部を保持した保持部材と、保持部材の端部を覆う端部材と、端部材の舌片部を保持部材の天板部に固定する固定手段と、を有する。保持部材は、一対の側板部、およびこれら一対の側板部を一体につなぐ天板部を有し、押し出し成形により製造される。舌片部は、端部材の端板部から一体に延びて一対の側板部の間で天板部に重なる。
【発明の効果】
【０００７】
本発明によると、照明装置を安価に製造できる。
【図面の簡単な説明】
【０００８】
【図１】図１は、実施形態に係るベースライトを示す斜視図である。
【図２】図２は、図１のベースライトの端部の構造を拡大して示す部分拡大斜視図である。
【図３】図３は、図２のホルダの端部から端部材を取り外した状態を示す部分拡大斜視図である。
【図４】図４は、図３の端部材を示す斜視図である。
【図５】図５は、図１のコネクタの要部の構造の縦断面図である。
【発明を実施するための形態】
【０００９】
以下、図面を参照しながら実施形態について詳細に説明する。  
図１は、実施形態に係る照明装置として、ベースライト１の外観斜視図を示す。図１では、ベースライト１のホルダ２（保持部材）をシャーシ４と分離した状態を示し、両者を接続したコネクタ３を図示してある。コネクタ３の接続作業時にホルダ２をシャーシ４から吊り下げる鎖の図示は省略してある。シャーシ４は、例えば建物の天井Ｃに固設され、ホルダ２は、シャーシ４の外側に嵌合されて４本のネジ２１（第２ネジ）によってシャーシ４に締結固定される。
【００１０】
図１に示すように、ホルダ２は、複数枚（本実施形態では２枚）の細長い帯状の基板１１を長手方向に一列に連結した光源部１２を保持する。このように、本実施形態のベースライト１は、細長い帯状の基板１１を長手方向に連結した光源部１２を有するため、全体として細長い略矩形ブロック状の外殻構造を有する。なお、このベースライト１は、光源部１２の各基板１１の発光素子を実装した前面を下に向けた姿勢（図１の姿勢）で、シャーシ４を介して建物の天井Ｃなどに直付けされる。
【００１１】
ベースライト１は、上述した光源部１２の他に、光源部１２を覆う透光性のカバー１３、カバー１３の両端を塞ぐ一対の透光性のキャップ１４、光源部１２の背面（すなわち、各基板１１の背面）を面で接触させた状態でカバー１３を保持するホルダ２、ホルダ２の内側に配置されるシャーシ４、およびホルダ２とシャーシ４の長手方向両端を塞ぐ一対の端部材２０を有する。シャーシ４の内側には、点灯装置６が取り付けられている。
【００１２】
光源部１２は、細長い矩形帯状の２枚の基板１１を有する。各基板１１の前面（図示下面）には、複数の発光素子が基板１１の長手方向に沿って２列で実装されており、各発光素子を個別に覆う蛍光体層１５が設けられている。図３では、蛍光体層１５を破線で図示してあるが、蛍光体層１５で包まれた発光素子の図示は省略してある。
【００１３】
また、基板１１の長手方向端部近くの前面には、隣接する基板同士を図示しない配線を介して接続するためのコネクタ１６が設けられている。２枚の基板１１は、このコネクタ１６を介して互いに電気的に連結される。また、このように連結された一方の基板１１は、図示のコネクタ３を有する配線１７ａ、１７ｂを介して点灯装置６に接続される。本実施形態では、コネクタ３の両側に接続された配線１７ａ、１７ｂは、それぞれ３本ずつ設けられている。
【００１４】
基板１１は、絶縁材である例えばガラスエポキシ樹脂（ＦＲ−４）等の材料によって形成されている。基板１１の前面には、銅箔で形成された図示しない配線パターンが形成され、配線パターンの上には反射率の高い白色のレジストが塗布される。なお、基板１１は、セラミックス材料や合成樹脂材料で形成でき、或いはアルミニウム板の一面に絶縁層を積層した金属ベース基板を使用することができる。金属ベース基板を用いると、放熱性を高めることができる。
【００１５】
発光素子は、ＬＥＤのベアチップからなる。ＬＥＤのベアチップには、例えば、白色系の光を光源部１２で発光させるために、青色の光を発するものが用いられている。このＬＥＤのベアチップは、シリコーン樹脂系の絶縁性接着剤を用いて配線パターン上に接着され、ボンディングワイヤによって配線パターンに電気的に接続されている。
【００１６】
蛍光体層１５は、透光性合成樹脂、例えば、透明シリコーン樹脂製であり、ＹＡＧ：Ｃｅ等の蛍光体を適量含有している。蛍光体層１５は、個々の発光素子を個別に被覆するように高さ寸法の小さい略円筒状をなしている。蛍光体は、発光素子が発する光で励起されて、発光素子が発する光の色とは異なる色の光を放射する。本実施形態では、発光素子が青色光を発するため、光源部１２として白色光を出射できるように、蛍光体には青色の光とは補色の関係にある黄色系の光を放射する黄色蛍光体が使用されている。
【００１７】
なお、蛍光体層１５の形状は、個々の発光素子を被覆できれば、特段限定されるものではなく、山形の形状や複数の発光素子を連続的に覆うライン状の形態を適用することができる。また、発光素子としては、表面実装型のＬＥＤパッケージを用いるようにしてもよく、実装方式や形式は、格別限定されるものではない。
【００１８】
カバー１３は、光源部１２の前面側、すなわち各基板１１の前面を覆う前面部を有する。カバー１３の前面部は、その中央に向けて僅かに前方へ突出するように湾曲しており、基板１１の前面から前方に離間した位置に設けられる。このカバー１３は、弾性変形可能な透光性を有する樹脂により形成されている。
【００１９】
また、カバー１３は、前面部と反対側に、全ての基板１１の背面を露出する長手方向に延びたスリット状の開放部を有する。開放部は、カバー１３の全長にわたって設けられている。そして、開放部の長手方向に沿った両縁部には、基板１１の長手方向に沿った縁をそれぞれスライド可能に支持する支持溝が設けられている。
【００２０】
基板１１は、上述したように一列に連結され、カバー１３の長手方向一端から挿入される。この際、各基板１１の長手方向に沿った縁が開放部の両側にある支持溝にそれぞれ挿入されてスライドされる。つまり、カバー１３は、２枚の基板１１の縁を支持した状態で、その開放部が塞がれて、筒状構造をなす。
【００２１】
キャップ１４は、透光性を有する樹脂材料によって形成され、弾性変形を伴ってカバー１３の長手方向両端に取り付けられる。キャップ１４は、カバー１３の断面形状と略同じ形状の装着部を有する。すなわち、２枚の基板１１がカバー１３の支持溝に挿通された後、カバー１３の両端をキャップ１４で塞ぐことで、基板１１の脱落が防止される。
【００２２】
なお、これら２枚の基板１１、カバー１３、および２つのキャップ１４は、発光ユニットとして機能する。各基板１１に実装された発光素子から放出された光は、カバー１３を介して放出されるとともに、キャップ１４を介して放出され、全方向に拡散した光を放出できる。
【００２３】
ホルダ２は、光源部１２の各基板１１の背面を面で接触させる細長い平らな接触面２ａ（図３参照）を有する。ホルダ２は、その長手方向に沿って折り曲げられた断面略Ｕ字状の構造を有し、発光ユニットに対向する天板部３１の外面に接触面２ａを有する。接触面２ａは、ホルダ２の略全長にわたって長手方向に延びている。すなわち、ホルダ２は、カバー１３を保持する機能、および複数枚の基板１１を放熱する機能を担う。
【００２４】
ホルダ２の天板部３１は、細長い複数の板状部材を組み合わせたような複雑なリブ構造を有することで剛性が高められており、接触面２ａの平面度が高められている。また、天板部３１の短手方向両端、すなわち長手方向に沿った両辺縁部には、発光ユニットのカバー１３を取り付けるための取り付けレール２ｂ、２ｂ（図３参照）がそれぞれ設けられている。
【００２５】
ホルダ２は、天板部３１の長手方向に沿った両辺部にそれぞれ連続した一対の側板部３２、３２を一体に有する。すなわち、このような構造のホルダ２は、例えば、アルミニウム材料の押し出し成形によって製造される。
【００２６】
一方、カバー１３の対応する部位には、ホルダ２の取り付けレール２ｂ、２ｂを挿通する一対の保持溝が設けられている。保持溝は、発光ユニットのカバー１３の短手方向両端、すなわち長手方向に沿った両縁部の内側に設けられている。すなわち、これら保持溝は、複数の基板１１の縁を支持する支持溝より外側に設けられている。
【００２７】
このように、一対の保持溝を支持溝より外側に設けることで、複数枚の基板１１の背面をホルダ２の接触面２ａに良好に接触させることができる。つまり、カバー１３を僅かに弾性変形させた状態で保持溝にホルダ２の取り付けレール２ｂを挿通し、カバー１３の復元力を利用して、その支持溝で支持された２枚の基板１１の背面をホルダ２の接触面２ａに押圧接触せしめることができる。これにより、２枚の基板１１の背面をホルダ２の接触面２ａに良好に接触させることができ、基板１１の放熱性を高めることができる。
【００２８】
シャーシ４は、その内側に、点灯装置６を備えており、点灯装置６を配置した底板部４ａに配線用孔４ｃを有する。この配線用孔４ｃには、ゴム製のブッシュが取り付けられており、挿通される図示しない配線が傷つかないようになっている。点灯装置６は、ベースライト１の外部にある図示しない商用電源に対して、配線用孔４ｃを通る図示しない配線を介して接続される。シャーシ４は、ホルダ２の一対の側板部３２、３２の間に嵌合されてホルダ２の内側に配置されるため、ベースライト１を天井Ｃなどに取り付けた状態で外部から見えない。
【００２９】
以下、一対の端部材２０について、その取り付け構造とともに説明する。一対の端部材２０は、同じ構造を有するため、ここでは一方のみを代表して説明する。  
図２は、端部材２０を取り付けるベースライト１の長手方向一端を部分的に拡大した概略斜視図である。図２では、シャーシ４とホルダ２を分離した状態を図示してある。また、図３は、ホルダ２の端部と端部材２０を分離した状態の拡大図であり、図４は、端部材２０の外観斜視図である。
【００３０】
端部材２０は、ホルダ２の長手方向の両端を塞ぐように設けられる。ホルダ２は、２枚の基板１１の背面を接触させる接触面２ａを外面に有する天板部３１、および一対の側板部３２、３２を有する。天板部３１は、一対の側板部３２、３２の対向する辺部を一体につなぐ。つまり、ホルダ２の短手方向に沿った断面は、図３に示すように、略Ｕ字形である。天板部３１は、図３に示すように、複雑なリブ構造を有し、その内側に長手方向に延びた２本の溝３３を有する。
【００３１】
端部材２０は、図４に示すように、略矩形の端板部２２、一対の側板部２４、２４、底板部２８、および舌片部２６を一体に有する。端部材２０は、樹脂の射出成形により製造される。このため、舌片部２６の後述する平板部２６ｂのネジ孔２７は、射出成形のための金型（図示せず）を抜く方向に切欠き２７ａを有する。
【００３２】
端部材２０は、端板部２２がホルダ２の長手方向の端部を覆う図２の向きでホルダ２の端部に装着される。端部材２０の底板部２８に対向するホルダ２の天板部３１の長手方向の端部は、底板部２８を嵌め込む形状に凹んでいる。端部材２０の一対の側板部２４、２４は、端部材２０をホルダ２の端部に装着した状態で、ホルダ２の一対の側板部３２の長手方向の端部近くで各側板部３２の外側に重なる。
【００３３】
端部材２０の舌片部２６は、端板部２２と底板部２８とにまたがって設けられている。舌片部２６は、底板部２８および端板部２２から一体に延びた立壁部２６ａ、および端板部２２から一体に延びるとともに立壁部２６ａの上端に一体に設けられた平板部２６ｂを有する。舌片部２６は、断面Ｔ字状である。
【００３４】
図２に示すように、端部材２０をホルダ２の端部に取り付けると、立壁部２６ａがホルダ２の天板部３１の内側の溝３３に入り、平板部２６ｂが溝３３の開口端３３ａに沿って配置される。このとき、平板部２６ｂの下面が溝３３の開口端３３ａに接触しても良い。この状態で、平板部２６ｂのネジ孔２７がホルダ２の溝３３に対向する。
【００３５】
舌片部２６の平板部２６ｂには、ネジ２９（固定手段、第１ネジ）を挿通するネジ孔２７が形成されている。ネジ孔２７は、上述したように、図示しない金型を抜く方向に切欠き２７ａを有する。このため、端部材２０を射出成形により製造できる。ネジ２９は、舌片部２６のネジ孔２７に挿通されてホルダ２の天板部３１の溝３３に螺合され、端部材２０をホルダ２に締結固定する。
【００３６】
端部材２０の端板部２２は、端板部２２を部分的に切り取るための２本の溝２２ａおよび２本のスリット２２ｂを有する。溝２２ａは端板部２２の外面に設けられ、スリット２２ｂは、各溝２２ａに連通するように端板部２２を貫通して設けられている。すなわち、これら２本の溝２２ａおよび２本のスリット２２ｂで挟まれた端板部２２の部位を図示しないペンチ等で切り取ることができるようになっている。このように切り取られた端板部２２の開口部は、複数のベースライトを長手方向に連結して使用する際に、図示しない配線を通す孔として機能する。
【００３７】
端部材２０の一対の側板部２４、２４は、それぞれ２つの係合爪２４ｂ、２４ｂを有する。これら係合爪２４ｂ、２４ｂは、各側板部２４の内側から互いに向き合う方向に突設され、対向するホルダ２の側壁部３２の係合孔３２ｂ、３２ｂにそれぞれ係合する。係合爪２４ｂ、２４ｂを係合孔３２ｂ、３２ｂに係合することで、端部材２０がホルダ２の端部に仮固定される。
【００３８】
また、一対の側板部２４、２４は、ネジ２１の大径の頭部２１ａを受け入れるための比較的大きな孔２４ａ、２４ａをそれぞれ有する。この孔２４ａは、ネジ２１を用いて端部材２０を介してホルダ２をシャーシ４に締結固定したときに、その頭部２１ａの突出量を少なくするために設けられる。この孔２４ａは、側板部２４を貫通した孔であるため、ネジ２１を締結しても端部材２０はホルダ２に締結固定されない。
【００３９】
ここで、端部材２０のホルダ２への取り付け方法、およびホルダ２のシャーシ４への取り付け方法について説明する。  
まず、ホルダ２の端部を塞ぐように、端部材２０をホルダ２の端部に装着する。このとき、舌片部２６の立壁部２６ａがホルダ２の溝３３に挿入され、溝３３の開口端３３ａに平板部２６ｂの裏面が対向する。また、このとき、一対の側板部２４、２４から突設した係合爪２４ｂ、２４ｂが対応するホルダ２の側板部３２の孔３２ｂ、３２ｂに係合する。この状態で、端部材２０がホルダ２の端部に仮固定されて、舌片部２６の平板部２６ｂにあるネジ孔２７がホルダ２の溝３３に対向する。そして、舌片部２６のネジ孔２７を介してネジ２９を挿通して溝３３に螺合する。これにより、端部材２０がホルダ２の端部に締結固定される。
【００４０】
この後、天井Ｃに取り付けたシャーシ４の外側にホルダ２を被せるように、ホルダ２をシャーシ４に取り付ける。このとき、図示しない鎖でホルダ２をシャーシ４から一時的に吊り下げて、コネクタ３を接続した後、ホルダ２をシャーシ４に被せる。この状態で、端部材２０の孔２４ａおよびホルダ２の側板部３２の孔３２ａを介して４本のネジ２１をそれぞれ挿通し、シャーシ４に固設された受け部材４ｂに螺合する。そして、各ネジ２１を締め付けることにより、ホルダ２がシャーシ４に締結固定される。
【００４１】
以上のように、本実施形態によると、ホルダ２の端部に装着した端部材２０をネジ２９によりホルダ２に締結固定するようにしたため、例えば、ホルダ２をシャーシ４に取り付ける取付作業時に端部材２０が脱落する心配がない。これに対し、ネジ２９による締結固定を省略した係合爪２４ｂと係合孔３２ｂによる係合だけの仮固定状態でホルダ２の取付作業をした場合、端部材２０が不用意に脱落する可能性があり、作業者が基板１１の配線に接触して感電する可能性が考えられる。このため、ホルダ２の両端を塞ぐ端部材２０は、工具を使わないで手で取り外すことのできる取付構造ではなく、本実施形態のように、ホルダ２の端部にしっかりと締結固定する必要がある。
【００４２】
また、本実施形態によると、例えば、図２に示すように、ホルダ２の一対の側板部３２の間で端部材２０の舌片部２６をネジ２９によってホルダ２の溝３３に締結固定するようにしたため、ベースライト１を天井Ｃに取り付けた状態で、外部からネジ２９にアクセス不能となり、不所望にネジ２９の締結を解除されることがない。
【００４３】
さらに、本実施形態によると、光源部１２を保持したホルダ２を押し出し成形により製造でき、且つ端部材２０を射出成形により製造できる。このため、ベースライト１の製造コストを低減できる。
【００４４】
なお、上述した実施形態では、端部材２０の舌片部２６の平板部２６ｂのネジ孔２７を介してネジ２９を挿通してホルダ２の溝３３に螺合することで端部材２０をホルダ２の端部に締結固定した場合について説明したが、これに限らず、例えば、溝３３に挿通する舌片部２６の立壁部２６ａに切欠きを設けてこの切欠きの位置で溝３３に螺合したネジにより締結固定するようにしても良い。
【００４５】
以下、上述したコネクタ３の構造および機能について、図１とともに図５を参照して説明する。図５は、光源部１２の基板１１から引き出された配線１７ｂに接続したメスコネクタ３ｂの縦断面図である。なお、本実施形態のコネクタ３は、より線ではなく単線同士を接続するためのものであり、そのための構造を有するものである。オスコネクタ３ａもメスコネクタ３ｂと同様の特徴を有するため、ここでは説明を省略する。
【００４６】
メスコネクタ３ｂは、図５に示すように、配線１７ｂを挿通する穴４１を有する。本実施形態では３本の配線を通す３つの穴４１が紙面と垂直な方向に並設されている。穴４１の途中には、配線１７ｂの被覆部材１７ｃの端部を当接して係止する肩部４１ａが設けられている。配線１７ｂは、被覆部材１７ｃの端部を肩部４１ａに当接するまで穴４１に押し込まれる。被覆部材１７ｃで覆われた芯線１７ｄ（１本の金属線）は、穴４１の奥まで差し込まれる。
【００４７】
メスコネクタ３ｂの樹脂製の本体４２は、３枚の電極板４４を埋設している。各電極板４４の長手方向の両端は、本端４２の端部付近まで延びている。各電極板４４は、その途中から隆起した接触片４４ａを一体に有する。接触片４４ａの先端は、本体４２の穴４１まで延びている。接触片４４ａの先端には、配線１７ｂの芯線１７ｄを受け入れるＶ字溝４４ｂが形成されている。
【００４８】
本体４２の反対側には、ここでは図示しないオスコネクタ３ａの挿入端部を受け入れる受入穴４６が設けられている。オスコネクタ３ａの挿入端部を受入穴４６に挿入すると、オスコネクタ３ａの各電極板（図示せず）がメスコネクタ３ｂの各電極板４４に電気的に導通するようになっている。
【００４９】
配線１７ｂを本体４２の穴４１に差し込むと、芯線１７ｄが接触片４４ａのＶ字溝４４ｂに嵌る。このとき、接触片４４ａが芯線１７ｄによって僅かに押されて変形する。つまり、この状態でＶ字溝４４ｂによって保持された芯線１７ｄは、接触片４４ａからの押圧力が作用し、芯線１７ｄに対する保持力が作用する。特に、この保持力は、芯線１７ｄを引き抜く方向に力が働いたときに強くなる。このため、一度挿入した芯線１７ｄは、Ｖ字溝４４ｂから抜ける心配はない。
【００５０】
以上のように、本実施形態のコネクタ３によると、メスコネクタ３ｂ（或いはオスコネクタ３ａ）の本体の穴４１に配線１７ｂを押し込むことで容易に接続でき、コネクタの組み立てに要する工数を少なくでき、製造コストを低減することができる。つまり、より線を被覆した配線にコネクタ本体を取り付ける場合、より線をかしめる金属端子を取り付けて、この金属端子を本体に差し込むことになり、組み立て工数が多くなる。
【００５１】
また、本実施形態のコネクタ３によると、芯線１７ｄを本体４２の穴４１に差し込むことで組み立てでき、芯線１７ｄの向きを気にする必要もない。つまり、上述したより線をまとめる金属端子には取り付ける向きがあり、作業者はこの向きを目視確認して金属端子を穴に挿通する必要がある。
【００５２】
さらに、本実施形態によると、従来、コネクタ本体の接続が困難とされていた比較的細い芯線を有する配線の接続が可能となる。
【００５３】
以上述べた実施形態の照明装置によれば、押し出し成形により製造したホルダ２の端部に射出成形により製造した端部材２０を取り付けるようにしたため、照明装置を安価に製造することができる。
【００５４】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【符号の説明】
【００５５】
１…ベースライト、２…ホルダ、３…コネクタ、４…シャーシ、１１…基板、１２…光源部、１７ａ、１７ｂ…配線、２０…端部材、２１…ネジ、２２…端板部、２４…側板部、２４ａ…孔、２６…舌片部、２６ａ…立壁部、２６ｂ…平板部、２７…ネジ孔、２７ａ…切欠き、２８…底板部、２９…ネジ、３１…天板部、３２…側板部、３３…溝、Ｃ…天井。
【図１】
2014026789.tif 000003
【図２】
2014026789.tif 000004
【図３】
2014026789.tif 000005
【図４】
2014026789.tif 000006
【図５】
2014026789.tif 000007